(57)【要約】  【課題】  フォーカス動作時やトラッキング動作時に生じるレンズホルダの傾きや共振を抑え、ディスク装置の記録再生性能を向上できる光ピックアップを提供する。  【解決手段】  アクチュエータベース３に固定されたシャフト５にレンズホルダ８が嵌合し、レンズホルダ８の端面８ｃにフレキシブルプリント基板９の貼付部９ａが接着され、アクチュエータベース３の起立板３ｂに貼付部９ｃが接着される。貼付部９ａと貼付部９ｃとの接続部９ｂは、複数の分離した各絶縁性基板上にトラッキングコイルやフォーカスコイル７に電流を流すための配線が形成される構造をもつ。【選択図】      図３
2007058901.tif 000002
【特許請求の範囲】
【請求項１】
ベース部と、該ベース部に固定された軸と、該軸に嵌合する軸孔を有するレンズホルダ
と、フレキシブルプリント基板とを備え、前記レンズホルダが前記軸に沿って変位可能で
あり、前記レンズホルダが前記軸周りに回動可能である光ピックアップにおいて、
前記フレキシブルプリント基板は、前記ベース部に取り付けられる第一の取り付け部と
、前記レンズホルダの端部に取り付けられる第二の取り付け部と、前記第一の取り付け部
と前記第二の取り付け部とを接続する接続部とを有し、
前記接続部は、複数の分離した絶縁性基板と、該各絶縁性基板上に均等な本数で形成さ
れた配線とを有することを特徴とする光ピックアップ。
【請求項２】
ベース部と、該ベース部に固定された軸と、該軸に嵌合する軸孔を有するレンズホルダ
と、フレキシブルプリント基板とを備え、前記レンズホルダが前記軸に沿って変位可能で
あり、前記レンズホルダが前記軸周りに回動可能である光ピックアップにおいて、
前記フレキシブルプリント基板は、前記ベース部に取り付けられる第一の取り付け部と
、前記レンズホルダの端部に取り付けられる第二の取り付け部と、前記第一の取り付け部
と前記第二の取り付け部とを接続する接続部とを有し、
前記接続部は、複数の分離した絶縁性基板と、該各絶縁性基板上に形成された配線とを
有することを特徴とする光ピックアップ。
【発明の詳細な説明】
【技術分野】
【０００１】
本発明は、光ディスク装置に用いられる光ピックアップの構造に関する。
【背景技術】
【０００２】
ＣＤ、ＤＶＤ等の光ディスクに記録されたデータを再生したり、光ディスクにデータを
記録する光ディスク装置には、光ディスクに光ビームを照射し、その反射光を読み取る光
ピックアップが備えられている。
【０００３】
光ピックアップには各種のタイプがあり、そのうち、対物レンズを保持するレンズホル
ダが軸に対して上下方向に変位および回動することでフォーカス動作、トラッキング動作
を行うような光ピックアップが従来から開発されている。このような光ピックアップとし
ては例えば特許文献１に開示されているものがある。
【０００４】
ここで開示されている光ピックアップでは、対物レンズを保持するレンズホルダが軸孔
を有し、この軸孔が基台に設けられた軸に嵌合され、レンズホルダは上下方向に変位およ
び回動可能となっている。そして、レンズホルダに備えられた駆動用コイルに電流を供給
するフレキシブルプリント基板の一端が、レンズホルダの側面から底面における軸近傍ま
で貼り付けられ、軸近傍で湾曲され、上記レンズホルダの側面側に引き出されている。こ
のような構成によれば、レンズホルダがフレキシブルプリント基板に引っ張られたとき、
軸近傍において略真下方向に引っ張られるので、レンズホルダに作用するモーメントを抑
え、レンズホルダの水平性を保つことができ、ひいては光ディスク装置の信頼性が向上す
るとある。
【０００５】
しかし、上記特許文献１の図１のように、フレキシブルプリント基板の上記引き出し部
が１枚のシート状となっており、これによりレンズホルダにかかるテンションが大きく、
フォーカス動作時はレンズホルダの傾きが生じ、また、フォーカスおよびトラッキング動
作時はレンズホルダの共振が生じ、ディスク装置の記録再生性能に悪影響を及ぼすという
問題点がある。
【特許文献１】特開２００２−３０４７５６号公報
【発明の開示】
【発明が解決しようとする課題】
【０００６】
上記問題点を鑑みて本発明はなされたものであり、フォーカス動作時やトラッキング動
作時に生じるレンズホルダの傾きや共振を抑え、ディスク装置の記録再生性能を向上でき
る光ピックアップを提供することを目的とする。
【課題を解決するための手段】
【０００７】
上記目的を達成するために本発明の光ピックアップは、ベース部と、該ベース部に固定
された軸と、該軸に嵌合する軸孔を有するレンズホルダと、フレキシブルプリント基板と
を備え、前記レンズホルダが前記軸に沿って変位可能であり、前記レンズホルダが前記軸
周りに回動可能である光ピックアップにおいて、
前記フレキシブルプリント基板は、前記ベース部に取り付けられる第一の取り付け部と
、前記レンズホルダの端部に取り付けられる第二の取り付け部と、前記第一の取り付け部
と前記第二の取り付け部とを接続する接続部とを有し、
前記接続部は、複数の分離した絶縁性基板と、該各絶縁性基板上に形成された配線とを
有することを特徴とする。
【０００８】
このような構成によれば、フォーカス動作によりレンズホルダが軸に沿って変位しても
、レンズホルダにかかるテンションが小さいため、レンズホルダが傾かないようにするこ
とができる。また、トラッキング動作によりレンズホルダが軸周りに回動したり、フォー
カス動作によりレンズホルダが軸に沿って変位したときでも、レンズホルダにかかるテン
ションが小さいため、レンズホルダの共振を抑えることができる。従って、ディスク装置
の記録再生性能を向上できる。
【０００９】
また、トラッキング動作によりレンズホルダが軸周りに回動したときにレンズホルダに
かかるテンションのバランスという面では、前記各絶縁性基板上に均等な本数で配線が形
成されることが好ましい。
【発明の効果】
【００１０】
本発明の光ピックアップにより、フォーカス動作時やトラッキング動作時に生じるレン
ズホルダの傾きや共振を抑え、ディスク装置の記録再生性能を向上できる。
【発明を実施するための最良の形態】
【００１１】
以下、本発明の実施形態について図面を参照しつつ説明する。図１は、本発明の光ピッ
クアップの分解斜視図を示す。図２は、本発明の光ピックアップの上面図を示す。また、
図３は、本発明の光ピックアップの側面断面図を示す（ただし、ピックアップベースとカ
バーは図示しない）。
【００１２】
光ピックアップ１は、ピックアップベース２、アクチュエータベース３、マグネット４
、シャフト５、磁性片６、フォーカスコイル７、レンズホルダ８、フレキシブルプリント
基板９、トラッキングコイル１０、対物レンズ１１、カバー１２を備える。
【００１３】
アクチュエータベース３はピックアップベース２にネジ止めされる。ピックアップベー
ス２には、不図示のレーザダイオード、レンズ系、受光素子等が取り付けられる。シャフ
ト５はアクチュエータベース３の底面に設けられた孔３ｃ（図３）に圧入される。レンズ
ホルダ８の中央部には下方向にボス部８ｂ（図３）が突設され、レンズホルダ８の上面か
らボス部８ｂを貫通するように軸孔８ａが設けられる。この軸孔８ａにシャフト５が嵌合
される。また、レンズホルダ８の端部には対物レンズ１１が接着される。また、ボス部８
ｂに嵌合するようフォーカスコイル７および磁性片６がレンズホルダ８に固定され、レン
ズホルダ８の両側面にはトラッキングコイル１０が固定される。アクチュエータベース３
の両側面には底面から起立する起立板３ａが設けられ、この起立板３ａに当接するようマ
グネット４が接着される。
【００１４】
また、フレキシブルプリント基板９の一端に設けられた貼付部９ａが、レンズホルダ８
における対物レンズ１１の保持部に対向する端面８ｃに接着される。そして、フレキシブ
ルプリント基板９に設けられた貼付部９ｃが、ベース部３の起立板３ａに略直交する側面
に底面から起立されて設けられた起立板３ｂの外側面に接着される。後述する貼付部９ａ
が有する端子がフォーカスコイル７およびトラッキングコイル１０と半田付けされ接続さ
れる。また、後述するフレキシブルプリント基板９の端部９ｄが有する端子が、ピックア
ップベース２に取り付けられる別のフレキシブルプリント基板（不図示）と半田付けによ
り接続される。また、接続部９ｂは貼付部９ａと貼付部９ｃとを接続する部分である。そ
して、レンズホルダ８を覆うようにカバー１２がアクチュエータベース３の上部に取り付
けられる。
【００１５】
このような構成により、フレキシブルプリント基板９の端部９ｄが有する端子から電流
が供給され、フォーカスコイル７に電流が流れると、フォーカスコイル７が励磁され、レ
ンズホルダ８がシャフト５に沿って図３中ａｂ方向に変位し、対物レンズ１１の焦点をデ
ィスクの記録面に合わせるフォーカス動作がされる。また、同様にトラッキングコイル１
０に電流が流れると、トラッキングコイル１０が励磁され、レンズホルダ８がシャフト５
周りに図２中ｃｄ方向に回動し、対物レンズ１１がディスクのトラックに追従するトラッ
キング動作がされる。
【００１６】
図４は、フレキシブルプリント基板９の上面図であり、配線は透過しているものとする
。フレキシブルプリント基板９は屈曲可能なシート状部材であり、ポリイミド等で構成さ
れる絶縁性基板上に、銅等で構成される配線が形成され、その上にポリイミド等で構成さ
れる絶縁性カバー層が形成される構造をもつ。
【００１７】
上記配線は、トラッキングコイル正極用、トラッキングコイル負極用、フォーカスコイ
ル正極用、フォーカスコイル負極用の４本が形成される。トラッキングコイル正極用配線
の両端には端子９ｅおよび端子９ｉが、トラッキングコイル負極用配線の両端には端子９
ｈおよび端子９ｌが、フォーカスコイル正極用配線の両端には端子９ｆおよび端子９ｊが
、フォーカスコイル負極用配線の両端には端子９ｇおよび端子９ｋがそれぞれ形成される
。
【００１８】
端子９ｅ、９ｆ、９ｇ、９ｈは、貼付部９ａにおいて絶縁性カバー層が存在しないむき
出しの状態であり、ピックアップベース２に取り付けられる別のフレキシブルプリント基
板と半田付けにより接続される。また、端子９ｉ、９ｊ、９ｋ、９ｌは、端部９ｄにおい
て絶縁性カバー層が存在しないむき出しの状態である。ここで２つのトラッキングコイル
１０は、１本の導体線を２箇所において巻くことにより形成され、それぞれのトラッキン
グコイル１０は導体線でつながっている。そして、片方のトラッキングコイル１０から出
る導体線に端子９ｅが、もう片方のトラッキングコイル１０から出る導体線に端子９ｈが
半田付けされる。また、フォーカスコイル７から出る片方の導体線に端子９ｆが、もう片
方の導体線に端子９ｇが半田付けされる。このような構成により、ピックアップベース２
に取り付けられる別のフレキシブルプリント基板からフレキシブルプリント基板９の配線
を通してトラッキングコイル１０およびフォーカスコイル７に電流が供給され、トラッキ
ング動作およびフォーカス動作が行われる。
【００１９】
また、図４（ａ）に示すフレキシブルプリント基板の場合、貼付部９ａおよび貼付部９
ｃを接続する接続部９ｂにおいて、２つの分離した絶縁性基板のうち片方の絶縁性基板上
にトラッキングコイル正極用配線およびフォーカスコイル正極用配線が形成されその上に
絶縁性カバー層が形成され、もう片方の絶縁性基板上にトラッキングコイル負極用配線お
よびフォーカスコイル負極用配線が形成されその上に絶縁性カバー層が形成される構造と
なっている。
【００２０】
また、図４（ｂ）に示すフレキシブルプリント基板の場合、貼付部９ａおよび貼付部９
ｃを接続する接続部９ｂにおいて、４つの分離した絶縁性基板のそれぞれの上に各配線が
１本ずつ形成され、各配線の上にそれぞれ絶縁性カバー層が形成される構造となっている
。
【００２１】
このような接続部９ｂの構造により、フォーカス動作によりレンズホルダ８が図３のａ
ｂ方向に変位しても、レンズホルダ８にかかるテンションが小さいため、レンズホルダ８
が傾かないようにすることができる。また、トラッキング動作によりレンズホルダ８が図
２のｃｄ方向に回動したり、フォーカス動作によりレンズホルダ８が図３のａｂ方向に変
位したときでも、レンズホルダ８にかかるテンションが小さいため、レンズホルダ８の共
振を抑えることができる。
【００２２】
なお、上記に限らず例えば図４（ａ）に示す接続部９ｂにおいて、２つの分離した絶縁
性基板のうち片方の絶縁性基板上に１本の配線を形成し、もう片方の絶縁性基板上に残り
３本の配線を形成するようにしてもよい。ただ、トラッキング動作によりレンズホルダ８
が図２のｃｄ方向に回動した場合のレンズホルダ８にかかるテンションのバランスという
面では、上記のように分離した各絶縁性基板上に均等な本数の配線が形成されることが好
ましい。
【図面の簡単な説明】
【００２３】
【図１】は、本発明の光ピックアップの分解斜視図である。
【図２】は、本発明の光ピックアップの上面図である。
【図３】は、本発明の光ピックアップの側面断面図である。
【図４】は、本発明の光ピックアップに用いられるフレキシブルプリント基板の上面図である。
【符号の説明】
【００２４】
１    光ピックアップ
２    ピックアップベース
３    アクチュエータベース
４    マグネット
５    シャフト
６    磁性片
７    フォーカスコイル
８    レンズホルダ
９    フレキシブルプリント基板
１０    トラッキングコイル
１１    対物レンズ
１２    カバー
【図１】
2007058901.tif 000003
【図２】
2007058901.tif 000004
【図３】
2007058901.tif 000005
【図４】
2007058901.tif 000006